(57)【要約】      （修正有）【課題】二つ折りに畳んだ場合、厚くなり過ぎて、全体が嵩張るためにハンドバッグ等への収納が不便であり、一方、最新のスマートフォンの商品技術動向からも薄型化の傾向が顕著になってきており、その市場ニーズに合致する薄型の携帯型情報端末用ケースを提供する。【解決手段】板状ケース本体３の一片部５の外側側端部に、内向きに半周折り返されて滑らかな曲面を有する折り返し５１と、折り返し５１の上下端部にそれぞれ連続して板状ケース本体３の左右中心方向に向かって形成された上端保持片５３及び下端保持片５５とからなるホルダー部５７とを備えてなり、板状ケース本体３の左右中心に向かって嵩高の上部差し込み口、下部差し込み口を形成して携帯型情報端末の保持用のホルダー部５７が設けられている。【選択図】図１
0003201150.tif 000002
【実用新案登録請求の範囲】
【請求項１】
左右中心において二つ折りが可能となる第一の屈曲部を有する板状ケース本体と、
前記板状ケース本体の前記第一の屈曲部で連接されてなる左右片部のうち一片部の外側側端部に、前記一片部の外側側端から連続して内向きに半周折り返されて滑らかな曲面を有する折り返しと、前記折り返しの上下端部にそれぞれ連続して前記板状ケース本体の前記左右中心方向に向かって形成された上端保持片及び下端保持片とからなるホルダー部とを備え、
前記上端保持片は、上端部分が背面に向かって略直角Ｌ字型に屈曲され、背面側端部が前記一片部と縫着されてなり、前記板状ケース本体の左右中心に向かって嵩高の上部差し込み口を形成し、
前記下端保持片は、下端部分が背面に向かって略直角Ｌ字型に屈曲され、背面側端部が前記一片部と縫着されてなり、前記板状ケース本体の左右中心に向かって嵩高の下部差し込み口を形成してなることを特徴とする携帯型情報端末用ケース。
【請求項２】
前記一片部の略中央部に前記第一の屈曲部に並行した第二の屈曲部が形成されてなることを特徴とする請求項１に記載の携帯型情報端末用ケース。
【請求項３】
前記板状ケース本体の他片部の外側側端部の上下端部にはそれぞれ薄い硬磁性材料が取り付けられ、前記板状ケース本体を二つ折りした際の前記上下端部に対向した位置となる前記ホルダー部の前記上端保持片及び前記下端保持片にはそれぞれ薄い軟磁性材料が取り付けられてなることを特徴とする請求項１若しくは請求項２に記載の携帯型情報端末用ケース。
【考案の詳細な説明】
【技術分野】
【０００１】
本考案は、スマートフォンや携帯電話などの携帯型情報端末を保持して外部からの衝撃等から保護するために使用される携帯型情報端末用ケースに関する。
【背景技術】
【０００２】
近年、高度化されたスマートフォンなどの携帯型情報端末は、使用者によって常に持ち運ばれて使用されるために、ハンドバッグ等のバッグ内で他の物との当たり傷や使用中の持ち手からの落下等により、携帯型情報端末の外観、主にタッチパネル面を傷つけてしまう事態が問題となっている。そのために、携帯型情報端末の外部からの衝撃や摩擦等を緩和する目的で、携帯型情報端末の外表面を保護する携帯型情報端末用ケースが提案されている。
【０００３】
具体的には、携帯型情報端末の側面及び背面が嵌め込まれるケース本体と、ケース本体が取り付けられる保護カバーとを備えた携帯型情報端末用ケースが知られている（特許文献１参照）。
【先行技術文献】
【特許文献】
【０００４】
【特許文献１】特開２０１４−１５５１３５号公報
【考案の概要】
【考案が解決しようとする課題】
【０００５】
しかし、従来技術は、携帯型情報端末を保護カバーに取り付けられるケース本体に嵌め込んで装着しているために、保護カバーとケース本体とが二重構造となり、二つ折りに畳んだ場合、厚くなり過ぎて、全体が嵩張るためにハンドバッグ等への収納が不便であった。
また、最新のスマートフォンの商品技術動向からも薄型化の傾向が顕著になってきており、それに使用する携帯型情報端末用ケースも薄型化の要求が日増しに強くなってきている。
【課題を解決するための手段】
【０００６】
本考案は、前記課題を解決し、有用で収納性に優れる携帯型情報端末用ケースを提供するもので、左右中心において二つ折りが可能となる第一の屈曲部を有する板状ケース本体と、前記板状ケース本体の前記第一の屈曲部で連接されてなる左右片部のうち一片部の外側側端部に、前記一片部の外側側端から連続して内向きに半周折り返されて滑らかな曲面を有する折り返しと、前記折り返しの上下端部にそれぞれ連続して前記板状ケース本体の前記左右中心方向に向かって形成された上端保持片及び下端保持片とからなるホルダー部とを備え、前記上端保持片は、上端部分が背面に向かって略直角Ｌ字型に屈曲され、背面側端部が前記一片部と縫着されてなり、前記板状ケース本体の左右中心に向かって嵩高の上部差し込み口を形成し、前記下端保持片は、下端部分が背面に向かって略直角Ｌ字型に屈曲され、背面側端部が前記一片部と縫着されてなり、前記板状ケース本体の左右中心に向かって嵩高の下部差し込み口を形成してなる。
【０００７】
また本考案は、前記一片部の略中央部に前記第一の屈曲部に並行した第二の屈曲部が形成されてなることとしても良い。
【０００８】
このようにしてなる前記携帯型情報端末用ケースは、携帯型情報端末を前記ホルダー部に嵌着することにより、前記携帯型情報端末が容易に外れることがなく保持することができる。
【０００９】
また、前記携帯型情報端末用ケースは、前記第一の屈曲部と前記第二の屈曲部以外の部分に型紙、或いは樹脂板を取り付けることにより、前記板状ケース本体を強度アップして前記携帯型情報端末の保護性能を高めることができる。
【００１０】
また本考案は、前記板状ケース本体の他片部の外側側端部の上下端部にはそれぞれ薄い硬磁性材料を取り付け、且つ二つ折りした際の前記上下端部に対向した位置となる前記ホルダー部の前記上端保持片及び前記下端保持片にそれぞれ薄い軟磁性材料を取り付けることにより、前記携帯型情報端末を前記携帯型情報端末用ケースに装着して前記板状ケース本体を二つ折りに畳んだ際、互いの磁力で閉じた状態を保持することができる。
【００１１】
さらに本考案は、前記一片部の外側上部には前記携帯型情報端末の撮像レンズが露出可能となる横長の第一の穴を設けてなり、前記下端保持片の下端面には前記携帯型情報端末の第一のスピーカー用の横長の第二の穴を設けてなり、前記他片部の上端部の略中央部には前記携帯型情報端末の第二のスピーカー用の横長の第三の穴を設けてなることとしても良い。
【００１２】
このようにしてなる前記携帯型情報端末用ケースは、前記第一の穴、前記第二の穴及び前記第三の穴を設けることにより、前記携帯型情報端末のカメラ機能による撮影を簡便にすることができ、且つ前記携帯型情報端末のスピーカー機能による聴取にも優れる。
【００１３】
さらに本考案は、前記板状ケース本体の内側に布地を貼り合せてなり、前記板状ケース本体の外側には合成皮革を貼り合せてなり、前記板状ケース本体の前記他片部の内側の略中央部には薄型のポケットを設け、前記ポケットは前記板状ケース本体の外側と同一素材の合成皮革が縫着して構成されてなることとしても良い。
【００１４】
このようにしてなる前記携帯型情報端末用ケースは、前記板状ケース本体の内側には肌触りの良い布地を貼り合せ、且つ前記板状ケース本体の外側には合成皮革を貼り合せて構成していることにより、前記携帯型情報端末用ケースに高級感が現出し、且つ薄型の前記ポケットを設けることにより、カードケースとしても利用ができる。
【考案の効果】
【００１５】
本考案によれば、前記携帯型情報端末を前記携帯型情報端末用ケースの前記ホルダー部に嵌着するだけで前記携帯型情報端末を確実に保持することができる。
【００１６】
また、前記ホルダー部に嵌着された前記携帯型情報端末の背面と前記板状ケース本体との間に前記携帯型情報端末を固定するための構造物を設ける必要がないので、前記携帯型情報端末用ケースの薄型化を図ることができる。
【００１７】
また、前記板状ケース本体の前記他片部の前記上下端部と、前記一片部の前記上端保持片及び前記下端保持片には、それぞれ薄い硬磁性材料と軟磁性材料を取り付けることにより、前記携帯型情報端末用ケースを二つ折りに畳んだ際、互いの磁力で閉じた状態を保持することができるので、外部からの衝撃や摩擦などから前記携帯型情報端末を保護することができる。
【００１８】
また、前記一片部の略中央部に前記第一の屈曲部に並行した前記第二の屈曲部が形成されてなることで、前記一片部を手に持って前記第二の屈曲部を二つ折りとは逆向きに屈曲させることにより、前記携帯型情報端末を前記ホルダー部に嵌着し易くなり、且つ抜去の際にも同様に屈曲することで、前記携帯型情報端末が抜去し易くなる。
【００１９】
さらに、前記携帯型情報端末用ケースに前記携帯型情報端末を保持した状態で前記第一の屈曲部を屈曲させ、且つ前記第二の屈曲部を屈曲させることにより、机上等に立て置くことができる。
【図面の簡単な説明】
【００２０】
【図１】本考案の携帯型情報端末用ケースの一実施例を示し、携帯型情報端末用ケースの正面図である。
【図２】図１の携帯型情報端末用ケースの一実施例を示し、携帯型情報端末用ケースの背面図である。
【図３】図１の携帯型情報端末用ケースの一実施例を示し、携帯型情報端末用ケースの平面図である。
【図４】図１の携帯型情報端末用ケースの一実施例を示し、携帯型情報端末用ケースの底面図である。
【図５】図１の携帯型情報端末用ケースの一実施例を示し、携帯型情報端末用ケースの右側面図である。
【図６】図１の携帯型情報端末用ケースの一実施例を示し、携帯型情報端末用ケースの左側面図である。
【図７】図１の携帯型情報端末用ケースの一実施例を示し、携帯型情報端末用ケースのＡ−Ａ断面図である。
【図８】図１の携帯型情報端末用ケースの一実施例を示し、携帯型情報端末用ケースのＢ−Ｂ断面図である。
【図９】図１の携帯型情報端末用ケースの一実施例を示し、携帯型情報端末用ケースの斜視図である。
【図１０】図１の携帯型情報端末用ケースの一実施例を示し、携帯型情報端末用ケースの使用状態を示す参考図（ａ）で、携帯型情報端末を保持した状態の正面図である。
【図１１】図１の携帯型情報端末用ケースの一実施例を示し、携帯型情報端末用ケースの使用状態を示す参考図（ｂ）で、携帯型情報端末を保持して、第一の屈曲部と第二の屈曲部をそれぞれ屈曲させて、携帯型情報端末を立て置いた状態の斜視図である。
【考案を実施するための形態】
【００２１】
以下、本考案に係る実施の形態を、図を参照しながら詳しく説明する。
【００２２】
本考案の携帯型情報端末用ケース１は、図１乃至図９に示すように、左右中心において二つ折りが可能となる第一の屈曲部３１を有する板状ケース本体３と、前記板状ケース本体３の前記第一の屈曲部３１で連接されてなる左右片部のうち一片部５の外側側端部に、前記一片部５の外側側端から連続して内向きに半周折り返されて滑らかな曲面を有する折り返し５１と、前記折り返し５１の上下端部にそれぞれ連続して前記板状ケース本体３の前記左右中心方向に向かって形成された上端保持片５３及び下端保持片５５とからなるホルダー部５７とを備えてなる。
【００２３】
前記上端保持片５３は、上端部分が背面に向かって略直角Ｌ字型に屈曲され、背面側端部５３１が前記一片部５と縫着されてなり、前記板状ケース本体３の左右中心に向かって嵩高の上部差し込み口５７１を形成し、前記下端保持片５５は、下端部分が背面に向かって略直角Ｌ字型に屈曲され、背面側端部５５１が前記一片部５と縫着されてなり、前記板状ケース本体３の左右中心に向かって嵩高の下部差し込み口５７３を形成してなる携帯型情報端末の保持用のホルダー部５７が設けられている。
【００２４】
前記板状ケース本体３には、前記一片部５の略中央部に前記第一の屈曲部３１に並行した第二の屈曲部３３を設け、前記第一の屈曲部３１及び前記第二の屈曲部３３以外の部分３５に型紙、或いはアクリル板等からなる樹脂板を埋設されてなる。
【００２５】
前記板状ケース本体３の他片部７の外側側端部の上下端部７１には、それぞれ薄いフェライト磁石等からなる硬磁性材料を埋設し、且つ前記板状ケース本体３を二つ折りした際の前記上下端部７１に対向した位置となる前記ホルダー部５７の前記上端保持片５３及び前記下端保持片５５にそれぞれ薄い鉄等からなる軟磁性材料を埋設されてなる。
【００２６】
前記一片部５の外側上部には前記携帯型情報端末の撮像レンズが露出可能となる横長の第一の穴９１を設けてなり、前記下端保持片５５の下端面には前記携帯型情報端末の第一のスピーカー用の横長の第二の穴９３を設けてなり、前記他片部７の上端部の略中央部には前記携帯型情報端末の第二のスピーカー用の横長の第三の穴９５を設けてなる。
【００２７】
前記板状ケース本体３の内側は肌触りの良い布地３７を貼り合せてなり、前記板状ケース本体３の外側は合成皮革３９を貼り合せてなり、前記板状ケース本体３の前記他片部７の内側の略中央部にはカードなどを収納できる薄型のポケット７３を設け、前記ポケット７３は前記板状ケース本体３の外側と同一素材の合成皮革３９が縫着して構成されてなる。
【００２８】
次いで、本考案の実施形態について、図１０及び図１１に示すように、前記携帯型情報端末用ケース１の前記ホルダー部５７内に前記携帯型情報端末Ｐを嵌着することにより、前記携帯型情報端末Ｐが容易に外れることがなく保持することができるので、前記携帯型情報端末用ケース１を開いて使用し、或いは二つ折りに畳んでハンドバッグ等に収納することができる。
【００２９】
また、前記携帯型情報端末用ケース１に前記携帯型情報端末Ｐを保持した状態で前記第一の屈曲部３１を略４５°屈曲させ、且つ前記第二の屈曲部３３を略１３５°屈曲させることにより、机上等に立て置いて前記携帯型情報端末Ｐを楽しむことができる。
【００３０】
上記の通り、本考案によれば、前記携帯型情報端末用ケース１は、前記携帯型情報端末Ｐを前記ホルダー部５７に嵌着することにより、前記携帯型情報端末Ｐが容易に外れることがなく保持することができるので、市場の要望である薄型化が達成でき、しかもシンプルな構成のために安価に製作でき、軽量で、且つ高い収納効果を得ることが可能な前記携帯型情報端末用ケース１を提供できる。
【００３１】
また、本考案によれば、前記板状ケース本体３の断面構成は、前記板状ケース本体３の内側の前記布地３７と、前記板状ケース本体３の外側の前記合成皮革３９との貼り合せからなり、前記布地３７と前記合成皮革３９の貼り合せの中間に、前記第一の屈曲部３１及び前記第二の屈曲部３３以外の部分３５に型紙、或いはアクリル板等からなる樹脂板を埋設されてなり、前記板状ケース本体３の強度を向上させ、前記携帯型情報端末Ｐの保護性能を高めることができる。
【００３２】
また、本考案によれば、前記板状ケース本体３の断面構成の中で、前記布地３７と前記合成皮革３９の貼り合せの中間に、型紙、或いはアクリル板等からなる樹脂板を埋設すると共に、前記板状ケース本体３の各コーナー部に硬磁性材料と軟磁性材料を埋設することにより、前記携帯型情報端末用ケース１の外表面としてシンプルな構成をなしており、且つ該外表面には前記合成皮革３９を使用していることにより高級感を醸し出している。
【符号の説明】
【００３３】
１    携帯型情報端末用ケース
３    板状ケース本体
５    一片部
７    他片部
３１    第一の屈曲部
３３    第二の屈曲部
３５    第一の屈曲部及び第二の屈曲部以外の部分
３７    布地
３９    合成皮革
５１    折り返し
５３    上端保持片
５５    下端保持片
５７    ホルダー部
７１    上下端部
７３    ポケット
９１    第一の穴
９３    第二の穴
９５    第三の穴
５３１    背面側端部
５５１    背面側端部
５７１    上部差し込み口
５７３    下部差し込み口
Ｐ    携帯型情報端末
【図１】
0003201150.tif 000003
【図２】
0003201150.tif 000004
【図３】
0003201150.tif 000005
【図４】
0003201150.tif 000006
【図５】
0003201150.tif 000007
【図６】
0003201150.tif 000008
【図７】
0003201150.tif 000009
【図８】
0003201150.tif 000010
【図９】
0003201150.tif 000011
【図１０】
0003201150.tif 000012
【図１１】
0003201150.tif 000013